(57)【要約】      （修正有）【課題】雨でぬれた傘を乾かすのに適当な場所がなく、傘を開いてそのまま庭に置いたりフェンスにハンドルを引掛けて干すことが多いが、風にあおられて飛んでいき家の外壁などにぶつかって傘骨が折れ曲がったり、駐車中の自動車を傷つけたりする。そこで、何本もの傘を簡単に干すことのできる傘干し台を提供する。【解決手段】基台Ａ２から放射状に３本の水平脚４を伸ばし、それぞれの先端に傘の石突を挿入する孔を開ける。基台Ａの中央にセンターポール１を立て、その上端に別の基台Ｂ３をセットし、そこから水平脚と重なる位置に放射状に３本の水平腕５を伸ばす。水平腕の先端には傘のシャフト保持用の凹み部７と係止具８ａ，８ｂを取り付ける。基台Ｂに傘シャフトを保持する溝を設け、センターポールに高さ可変の傘ハンドル保持台１２を取り付ける。この構造体により、傘を同時に４本干すことができる。【選択図】図１
2017144198.tif 000002
【特許請求の範囲】
【請求項１】
センターポールの下部に設けた基台Ａに複数本の水平脚を放射状に取り付け、センターポール上部に設けた基台Ｂの水平脚と重なる位置に同数の水平腕を放射状に取り付けた構造体において、水平脚の両端に複数個の孔を垂直方向に開け、水平腕の先端に凹み部および係止具を設け、基台Ｂの周縁部に中心方向に向かう溝および係止具を設けたことを特徴とする傘干し台。
【請求項２】
構造体を形成する構成部品であるセンターポール、基台Ａ、基台Ｂ、水平脚、水平腕は、組立に際して接着剤、ボルト、ナット、ネジ釘などを使用せず、差し込み式または嵌め込み式により組み立てることができる請求項１記載の傘干し台。
【発明の詳細な説明】
【技術分野】
【０００１】  本発明は、ぬれた傘を乾かすための台に関する。
【背景技術】
【０００２】  雨でぬれた傘を乾かすには、傘を開いて屋外のフェンスや物干し竿等にハンドルを引掛けて乾かすか、庭などの平地にシャフトを斜めにして置き乾かすことが多い。こうすれば風や太陽光を受け乾きは早いが、その一方で、強い風にあおられて片側に寄ったり、飛ばされて家屋の外壁やフェンスに当たって傘骨が折れ曲がったり、ときには駐車中の自動車に当たって自動車を傷つけたりしがちである。室内の居間や廊下、風呂場などで乾かせばこのような問題は起こらないが、家族の居場所を制限するうえ、乾燥時間も長くかかるので毎回室内でというわけにはいかない。そんな理由もあって、ぬれた傘をそのまま傘立てに差し込んだままにして放っておく人もいるが、暑さと湿気の多い季節には傘布にカビが発生して不潔になりやすいのであまり勧められない。【０００３】  先行技術文献として、傘を屋外で乾かす台の類は見当たらないが、傘を開いて室内で乾かす（以後、「干す」という）用具が先願として存在する。
【先行技術文献】
【０００４】
【特許文献】
【特許文献】実開昭６３−１３７２９３号公報
【発明の概要】
【発明が解決しようとする課題】
【０００５】  上述したように、傘をできれば天日で容易かつ短時間で干して清潔に保つ用具が必要とされているにもかかわらず、適当なものが見当たらないのが実状である。本発明では、あまり場所をとらずに効率よく傘を干す用具を提供するものである。
【課題を解決するための手段】
【０００６】    そこで本発明の傘干し台であるが、請求項１に述べるように、センターポールの下部に設けた基台Ａに複数本の水平脚を放射状に取り付け、センターポール上部に設けた基台Ｂの水平脚と重なる位置に同数の水平腕を放射状に取り付けた構造体において、水平脚の両端に複数個の孔を垂直方向に開け、水平腕の先端に凹み部および係止具を設け、基台Ｂの周縁部に中心方向に向かう溝および係止具を設けたものである。【０００７】  また、請求項２に述べる傘干し台であるが、構造体を形成する構成部品であるセンターポール、基台Ａ、基台Ｂ、水平脚、水平腕は、組立に際して接着剤、ボルト、ナット、ネジ釘などを使用せず、差し込み式または嵌め込み式により組み立てることができるものである。
【発明の効果】
【０００８】  本発明の傘干し台は、傘を開いた状態で台上にセットし、最大４本または５本の傘を同時に干すことができる省スペースの傘干し台であり、多少の風では傘が飛ばされることもなくしっかり保持し、屋外、屋内どちらでも使用できる。【０００９】  傘干し台を形成する構成部品は、すべて接着剤やボルト類を使用せずに組み立てができるため、工具が不要のうえ非使用時には分解してコンパクトに保管できる。
【図面の簡単な説明】
【００１０】
【図１】  水平脚３本、水平腕３本で構成する傘干し台を示す斜視図である。
【図２】  同じく水平脚、水平腕を各３本有する傘干し台の構成部品を示す斜視図である。
【図３】  図１の傘干し台に傘３本をセットした状態を示す斜視図である。
【図４】  図１の傘干し台に傘４本をセットした状態を示す斜視図である。
【図５】  水平脚４本を有する傘干し台に傘５本をセットした状態を示す平面模式図（基台Ｂと水平腕は描画省略）である。
【発明を実施するための形態】
【００１１】  以下、本発明の実施の形態を図１〜図５に基づいて説明する。
【００１２】（実施の形態１）
図１は本発明の実施の形態１に係る水平脚３本、水平腕３本を有し最大４本の傘が干せる傘干し台の斜視図である。基台Ａ２の中央にセンターポール１を垂直に立て、該センターポール１の上端には基台Ｂ３を装着する。基台Ａ２の水平脚挿入孔１０には水平方向に放射状に水平脚４を１本ずつ計３本挿入し、基台Ｂ３の水平腕挿入孔１１には下の水平脚４と重なる位置に水平方向、放射状に水平腕５を３本挿入する。素材の如何は問わない。
【００１３】  図３に示すように傘は３本とも逆さにして傘干し台にセットするが、水平脚４にはどれも両先端に傘の石突１８を挿し込むための石突挿入孔６ａまたは６ｂを１個ずつ設ける。石突１８の口径が傘により違うので、どの傘にも合うように水平脚４に設けた石突挿入孔６ａ、６ｂの口径は両先端で異なるものとする。例えば、ある傘の石突１８を水平脚４の挿入孔に差し込もうとしたが孔が小さくて入らない場合には、その水平脚４を基台Ａ２から引き抜き逆向きに差し込めば大きな口径の挿入孔が利用できる。石突挿入孔６ａ、６ｂは傘の石突１８にぴったりする大きさが最も安定するが、何種類もの孔を設けるのは使用者にとって選択が困難となるので、孔の口径は大小の２種類と簡略化してある。
【００１４】  ４本目の傘は、図４に示すように、他の３本と異なりハンドル２０が下側に来る使用時と同じ状態にセットする。センターポール１上端の基台Ｂ３に設けた傘のシャフト保持溝９に、４本目の傘のシャフト１９の上方を差し込み係止具８ｂで抜けないように留める。一方、下方においては該ポールに沿ってスライドする傘のハンドル保持台１２の高さを調整しながらハンドル２０を載せ、しっかりと保持して傘を安定させる。
【００１５】  センターポール１の長さであるが、長すぎるとポールがぐらついて不安定になり、短すぎると逆さにして干す傘のシャフト１９を受ける水平腕５の位置が下になりすぎ傘の保持が不安定になるので、両者を考慮して適当な長さを決める必要がある。さらに、子供用や折りたたみ式傘のようにシャフトの短い傘の場合は、シャフトのみならずハンドルでも受けることができるように、水平腕５先端の凹み部７と係止具８ａに汎用性を持たせておくことが大切である。
【００１６】  センターポール１の断面形状であるが、円形でなく多角形であることが望ましい。センターポール１は基台Ａ２と基台Ｂ３をつなぐポールであるが、基台Ｂ３から放射状に伸びる３本の水平腕５は、水平脚４の上に垂直に立つ傘のシャフト１９を支える機能があり、平面的に見て水平脚４と重なる必要がある。センターポール１の断面形状が円形の場合、傘干し台を組み立てるたびに両者の重なりを調整する必要がありわずらわしいし、使用中にずれが生ずることもあり得る。必ずしも多角形である必要はなく自由デザインの図形でもよいが、製造上の容易さを考慮すれば三角形、四角形、五角形などの多角形とするのが妥当である。
【００１７】  図２で示すように、水平脚４の両先端には、口径の大きい石突挿入孔６ａと口径の小さい石突挿入孔６ｂを開けてあるが、水平脚４のその他の部位にも大小の石突挿入孔６ａ、６ｂをいくつか開けておいてもよい。そこに傘の石突１８を挿し込み、仮の傘立てとして利用することもできる。
【００１８】  水平脚４の長さとしては、基台Ａ２に水平脚４の一端を挿入したとき、他の一端にある石突挿入孔６ａまたは６ｂからセンターポール１の外縁までの距離が、開いた傘の口径の２分の１以上あれば傘をセットするのに問題はないが、水平脚４を最短にすれば傘干し台をコンパクトにできスペースの有効利用がはかれてよい。
【００１９】  水平腕５の長さは、基本的には水平脚４の長さと同等とする。水平腕５の先端が水平脚４先端の石突挿入孔６ａまたは６ｂの真上に位置するようにすれば、傘のシャフト１９が垂直となり安定した状態で立つ。
【００２０】  基台Ａ２の機能としては、水平脚４の挿し込みと引き抜きがスムーズにできることと、挿し込み後は傘干し台が風を受けて倒れたり移動したりするのを防ぐ役目があり、基台Ａ２および水平脚４はある程度の重量が要求される。図１、図２などでは基台Ａ２の形状は水平脚４を保持する厚みを有する円形となっているが、水平脚４を保持できる形状であれば円形に限るものではない。これに対して、基台Ｂおよび水平腕５の機能は、逆さに開いた傘のシャフト１９がぐらつくのを防いで支えるのが役目であり、あまり重量があると不安定となるので、ある程度の強度があれば軽い方がよい。
【００２１】  傘を実際に干す場合の手順を、図３と図４に示す水平脚４が３本の傘干し台を例にとって説明する。まず、傘干し台の構成部品を組み立てるには、基台Ａ２の中央にセンターポール１を立て、その上端に基台Ｂ３を嵌める。このとき、水平腕挿入孔１１が下方の水平脚挿入孔１０と同じ位置に来るよう確認しながら嵌める。次に基台Ａ２の水平脚挿入孔１０に３本の水平脚４を順に挿入し、基台Ｂの水平腕挿入孔１１にも３本の水平腕５を挿入する。水平脚４の挿入にあたっては、干す傘の石突１８の太さに見合う石突挿入孔６ａまたは６ｂが水平脚４の先端に来るようにセットする。続いて、開いた傘Ｉ１３、傘ＩＩ１４、傘ＩＩＩ１５の石突１８を石突挿入孔６ａまたは６ｂにセットして傘を逆さ向きに開き、シャフト１９の上側の部位を基台Ｂ３から伸びる水平腕５先端の凹み部７で受け、係止具８ａで留める。このようにして、それぞれの水平脚４および水平腕５に傘３本を１本ずつセットしていく。
【００２２】  もう１本、４本目の傘ＩＶ１６がある場合は、図４のごとく４本目の傘を開き、今度は逆さにせず石突１８が上に来る状態に傘を立ててセットする。まず、シャフト１９上部を基台Ｂ３のシャフト保持溝９に挿入して係止具８ｂで留め、ハンドル２０をハンドル保持台１２に載せて保持する。ハンドル保持台１２は、センターポール１の表面をスライドして上下移動できるゴンドラ型保持台で、傘のハンドル２０を載せて重量がかかるとセンターポール１との摩擦で動きが止まる。一般的にいえば、風のある日は傘を低く保って風の影響を少なくし、風のない日には高く保って太陽光が下の方にも届きやすくするとよい。
【００２３】  水平脚４ならびに水平腕５の本数は２本から４本までいずれも可能であるが、それぞれに利点と欠点がある。２本の場合は、開いた傘を干す場合に少ないスペースで使用できる代わりに、風が吹くと倒れやすく安定性に欠けるため実用的でなく、詳細な説明は省略する。水平脚４が３本の傘干し台は安定性があり、風にも強いうえスペースもそれほど広くを必要とせず、干せる傘の数も水平脚４上に１本ずつの３本と中央に１本の計４本が干せて便利である。水平脚４が４本のものは、中央を含めて計５本が同時に干せてよいが、水平脚４の長さを長くしないと隣の傘同士が邪魔して重なってしまうため、干すには広い場所での利用が中心となる。
【００２４】  傘がすべて乾いて傘干し台の役目が済んだときは、図２に示すごとく、傘干し台の水平脚４や水平腕５などの構成部品を引き抜いて分解し、物置や棚などに保管すればスペースの有効利用がはかれてよい。
（実施の形態２）
【００２５】  図５は５本の傘が干せる傘干し台であるが、これを使用するには、水平脚挿入孔１０と水平腕挿入孔１１がそれぞれ４個ある基台Ａと基台Ｂが必要となる。図５では水平脚４が４本と、図示はないがこの４本の真上にやはり４本の水平腕５が取り付けられる。センターポール１の太さと高さは上述した３本の水平脚４の場合と同じでよい。４本の傘は４本の水平脚４の上に逆さにセットし、５本目の傘Ｖ１７は石突１８が上に来る使用時と同じ状態にして、シャフト１９の上部をシャフト保持溝９に挿入して係止具８ｂで留め、ハンドル２０をハンドル保持台１２に載せて固定する。この手順は、４本の傘が干せる傘干し台と同じである。
【００２６】  この場合、水平脚４が３本の場合と同じ長さの水平脚をそのまま使うと、開いた傘が隣り同士で邪魔し合って具合が悪いので、これを避けるため水平脚４の長さを２割程度長くする必要がある。これに伴って、傘のシャフト１９を上方で受ける水平腕５も長くすることになる。最終的には、開いた傘４本に加えて中央に１本をセットした傘干し台は、４本用の傘干し台と比べて一回り大きなものとなり、十分なスペースを確保できる場所でないと有効に利用できない。
【符号の説明】
【００２７】  １・・・センターポール
２・・・基台Ａ
３・・・基台Ｂ
４・・・水平脚
５・・・水平腕
６ａ・・石突挿入孔（大）
６ｂ・・石突挿入孔（小）
７・・・凹み部
８ａ・・係止具（水平腕先端部）
８ｂ・・係止具（基台Ｂのシャフト保持溝部）
９・・・シャフト保持溝
１０・・・水平脚挿入孔
１１・・・水平腕挿入孔
１２・・・ハンドル保持台
１３・・・傘Ｉ
１４・・・傘ＩＩ
１５・・・傘ＩＩＩ
１６・・・傘ＩＶ
１７・・・傘Ｖ
１８・・・石突
１９・・・シャフト
２０・・・ハンドル
【図１】
2017144198.tif 000003
【図２】
2017144198.tif 000004
【図３】
2017144198.tif 000005
【図４】
2017144198.tif 000006
【図５】
2017144198.tif 000007